【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
インターネットプロトコル（ＩＰ）データを、アプリケーションから、ＩＰネットワーク上と非ＩＰネットワークのうちの一つのネットワーク上の移動局へ転送する方法であって、前記移動局が、移動局ＩＰアドレスと移動局識別子の両方によって識別される方法であり、
二重メッセンジャーにおいて、前記アプリケーションから前記ＩＰデータを前記移動局に転送することの通知要求を受信する工程であって、前記通知要求は前記移動局ＩＰアドレスによって前記移動局を識別するものである工程、
前記二重メッセンジャーにおいて、前記移動局が前記ＩＰネットワーク上に登録されているかどうかを判定する工程、
前記移動局が前記ＩＰネットワーク上に登録されていない場合、前記二重メッセンジャーにおいて、前記移動局ＩＰアドレスを前記移動局識別子と関連付ける工程、
前記二重メッセンジャーからメッセージハンドラへ、関連付けられた前記移動局識別子によって識別される前記通知要求を転送する工程、
前記メッセージハンドラにおいて、前記移動局が前記非ＩＰネットワーク上に登録されているかどうかを判定する工程、
前記移動局が前記非ＩＰネットワーク上に登録されている場合、前記メッセージハンドラから、前記非ＩＰネットワーク上の遠隔サービスサーバーを介して、前記ＩＰデータを前記移動局に転送する工程とを含む方法。
【請求項２】
前記ＩＰネットワークが、データのみのネットワークである、
請求項１に記載の方法。
【請求項３】
前記ＩＰネットワークが、セルラーデジタルパケットデータ（ＣＤＰＤ）ネットワークである、
請求項１に記載の方法。
【請求項４】
前記非ＩＰネットワークが、音声のみのネットワークである、
請求項１に記載の方法。
【請求項５】
前記非ＩＰネットワークが、パーソナルコミュニケーションシステム（ＰＣＳ）ネットワークである、請求項１に記載の方法。
【請求項６】
前記非ＩＰネットワークが、ＩＳ−１３６プロトコルの下で作動する、
請求項１に記載の方法。
【請求項７】
前記非ＩＰネットワークが、ＩＳ−９５プロトコルの下で作動する、
請求項１に記載の方法。
【請求項８】
前記移動局ＩＰアドレスが、ユニバーサルリソースロケーター（ＵＲＬ）アドレスである、請求項１に記載の方法。
【請求項９】
前記移動局識別子が、移動局識別番号（ＭＩＮ）である、請求項１に記載の方法。
【請求項１０】
前記移動局識別子が、電子連続番号（ＥＳＮ）である、請求項１に記載の方法。
【請求項１１】
前記メッセージハンドラにおいて判定する工程が、前記メッセージハンドラにおいて、遠隔サービスサーバーへの問い合わせを作成する、
請求項１に記載の方法。
【請求項１２】
セルラーデジタルパケットデータ（ＣＤＰＤ）ネットワークとパーソナルコミュニケーションシステム（ＰＣＳ）ネットワークのうちの１つのネットワーク上に登録された移動局の所在を確認する方法であり、
該方法が、
装置において、アプリケーションから前記移動局へＩＰデータを送信することの要求を受信する工程であり、前記装置は前記ＣＤＰＤネットワークと前記ＰＣＳネットワークに結合している工程、
前記装置から、前記移動局の所在を確認することを前記ＣＤＰＤネットワークへ問い合わせる工程、
前記装置から、前記移動局の所在を確認することを前記ＰＣＳネットワークへ問い合わせる工程、
前記移動局との通信の前に、前記ＣＤＰＤネットワークと前記ＰＣＳネットワークのうちのひとつのネットワーク上の前記移動局の所在を確認する工程、
とを含む方法。
【請求項１３】
前記アプリケーションが、ハイパーテキスト転送プロトコル（ＨＴＴＰ）を用いて、前記装置と通信する、
請求項１２に記載の方法。
【請求項１４】
前記アプリケーションが、ハイパーテキストマークアップ言語（ＨＴＭＬ）を用いて、前記装置と通信する、
請求項１２に記載の方法。
【請求項１５】
インターネットプロトコル（ＩＰ）データを、アプリケーションから、ＩＰネットワークと非ＩＰネットワークのうちの１つのネットワーク上の移動局へと転送するシステムであって、前記移動局が移動局ＩＰアドレスと移動局識別子の両方によって識別されるシステムであり、
該システムが、
前記アプリケーションから通知要求を受信する第１の方法であって、
前記通知要求は前記移動局ＩＰアドレスにアドレス指定されており、
前記第一の方法は、前記移動局が前記ＩＰネットワークに登録されているかどうかを判定し、前記移動局が前記ＩＰネットワークに登録されていない場合、前記第一の方法は、前記移動局ＩＰアドレスを前記移動局識別子に関連付け、そして前記移動局識別子と前記通知要求を第二の方法に転送する第１の方法と、
第３の方法への問い合わせを作成する第２の方法であって、
前記問い合わせは、前記移動局識別子によって識別される前記移動局が前記非ＩＰネットワーク上に存在するかどうかを判定するためのものである前記第２の方法と、
前記問い合わせを受信し、前記非ＩＰネットワーク上の前記移動局のホームロケーションレジスターに問い合わせるための前記第３の方法と、
前記移動局が前記非ＩＰネットワーク上に登録されている場合、前記アプリケーションから通知データを取得せよとの前記第２の方法からの要求を受信する前記第４の方法であって、
前記第４の方法は、前記アプリケーションの識別子を前記第１の方法から取得し、前記アプリケーションからのデータの要求を作成し、前記アプリケーションへと前記データの要求を転送し、前記アプリケーションは前記データを前記第4の方法へと返し、前記第４の方法は、前記第２の方法へ前記データを送り、前記第２の方法は、前記データを前記第3の方法へと送り、前記第３の方法は、前記非ＩＰネットワークプロトコルに従って、前期移動局へ前記データを送る第４の方法を含む、
システム。
【請求項１６】
前記ＩＰネットワークが、データのみのネットワークである、
請求項１５に記載のシステム。
【請求項１７】
前記ＩＰネットワークが、セルラーデジタルパケットデータ（ＣＤＰＤ）ネットワークである、
請求項１５に記載のシステム。
【請求項１８】
前記非ＩＰネットワークが、音声のみのネットワークである、
請求項１５に記載のシステム。
【請求項１９】
前記非ＩＰネットワークが、パーソナルコミュニケーションシステム（ＰＣＳ）ネットワークである、請求項１５に記載のシステム。
【請求項２０】
前記非ＩＰネットワークが、ＩＳ−１３６プロトコルの下で作動するネットワークである、
請求項１５に記載のシステム。
【請求項２１】
前記非ＩＰネットワークが、ＩＳ−９５プロトコルの下で作動するネットワークである、
請求項１５に記載のシステム。
【請求項２２】
前記移動局ＩＰアドレスが、ユニバーサルリソースロケーター（ＵＲＬ）アドレスである、請求項１５に記載のシステム。
【請求項２３】
前記移動局識別子が、移動局識別番号（ＭＩＮ）である、請求項１５に記載のシステム。
【請求項２４】
前記移動局識別子が、電子連続番号（ＥＳＮ）である、請求項１５に記載のシステム。
【請求項２５】
インターネットプロトコル（ＩＰ）データを、アプリケーションから、分離して独立したアクセスプロトコルを有する少なくとも２つの地理的に同じ場所に配置される無線ネットワークのうちの一つの無線ネットワーク上の移動局へ転送する方法であって、前記移動局が、移動局ＩＰアドレスと移動局識別子の両方によって識別される方法であり、
該方法が、
第一の装置において、前記アプリケーションから前記ＩＰデータを前記移動局へ転送することの通知要求を受信し、前記通知要求が移動局ＩＰアドレスによって前記移動局を識別する工程、
第一の装置において、前記移動局が、第一のアクセスプロトコルを有する第一の無線ネットワークに登録されているかを判定する工程、
前記移動局が前記第一のアクセスプロトコルを有する前記第一の無線ネットワークに登録されていない場合、前記第一の装置において、前記移動局ＩＰアドレスを前記移動局識別子に関連付ける工程、
前記第一の装置からメッセージハンドラへ前記関連付けられた移動局識別子によって識別される通知要求を転送する工程、
前記メッセージハンドラにおいて、前記移動局が、第１のアクセスプロトコルとは異なる第２のアクセスプロトコルを有する第２の無線ネットワークに登録されているかどうかを判定し、前記第２のアクセスプロトコルを有する前記第２の無線ネットワークに登録されている場合、前記メッセージハンドラから、第二の無線ネットワーク上の遠隔サービスサーバーを介して、前記移動局へ前記ＩＰデータを転送する工程を含む、
方法。
【請求項２６】
第一のアクセスプロトコルを有する、第一の無線ネットワークが、ＩＰネットワークである、請求項２５に記載の方法。
【請求項２７】
第一のアクセスプロトコルを有する、第一の無線ネットワークが、データのみのネットワークである、請求項２５に記載の方法。
【請求項２８】
第一のアクセスプロトコルを有する、第一の無線ネットワークが、セルラーデジタルパケットデータ（ＣＤＰＤ）ネットワークである、請求項２５に記載の方法。
【請求項２９】
第２のアクセスプロトコルを有する、第２の無線ネットワークが、非ＩＰネットワークである、請求項２５に記載の方法。
【請求項３０】
第２のアクセスプロトコルを有する、第２の無線ネットワークが、音声のみのネットワークである請求項２５に記載の方法。
【請求項３１】
第２のアクセスプロトコルを有する、第２の無線ネットワークが、パーソナルコミュー二ケーションシステム（ＰＣＳ）ネットワークである、請求項２５に記載の方法。
【請求項３２】
第２のアクセスプロトコルを有する、第２の無線ネットワークが、ＩＳ-１３６プロトコルの下で作動するネットワークである、請求項２５に記載の方法。
【請求項３３】
第２のアクセスプロトコルを有する、第２の無線ネットワークが、ＩＳ―９５プロトコルの下で作動するネットワークである、請求項２５に記載の方法。
【請求項３４】
前記移動局ＩＰアドレスが、ユニバーサルリソースロケーター（ＵＲＬ）アドレスである、請求項２５に記載の方法。
【請求項３５】
前記移動局識別子が、移動局識別番号（ＭＩＮ）である、請求項２５に記載の方法。
【請求項３６】
前記移動局識別子が、電子連続番号（ＥＳＮ）である、請求項２５に記載の方法。
【請求項３７】
前記メッセージハンドラにおいて判定する工程が、前記メッセージハンドラにおいて遠隔サービスサーバーへの問い合わせを作成する工程を含む、請求項２５に記載の方法。
【手続補正２】
【補正対象書類名】明細書
【補正対象項目名】０００２
【補正方法】変更
【補正の内容】
【０００２】
【従来の技術、及び、発明が解決しようとする課題】
データ通信能力に対する需要は増大し続けている。ネットワーク参加者は、利用可能なデータにアクセスし、またはデータ送信する方法がさらに増えることを望んでいる。この業界で継続的に成長している一例としては、インターネットを通じての通信、特にワールド・ワイド・ウェブでのエクスプロージョンがある。この媒体を使用する通信は、通常ハイパーテキスト転送プロトコル（ＨＴＴＰ）またはインターネット・プロトコル（ＩＰ）と呼ばれるものにより行われる。図１Ａおよび図１Ｂにユーザがインターネットを使用することができるデータ通信コンフィギュレーションの一例を示す。
【手続補正３】
【補正対象書類名】明細書
【補正対象項目名】０００３
【補正方法】変更
【補正の内容】
【０００３】
図１Ａの場合には、例えば、パソコン１０のようなコンピュータ・ターミナルのところにいるユーザは、モデム１１を通して公衆電話網（ＰＳＴＮ）１５に接続している。アクセス・プロバイダ２０は、そのＰＳＴＮのある場所に位置している。アクセス・プロバイダは、この図においてＨＴＴＰ  ＮＥＴＷＯＲＫ３０と表示してあるインターネットへのデータリンク２５を提供する。通常、「ブラウザ」と呼ばれるソフトウェアが、コンピュータ１０にロードされ、ネットワーク３０に位置している他のデータ源とデータ通信することができる。その一例としては、インターネットがある。上記ブラウザの例としては、ネットスケープのナビゲータおよびマイクロソフトのインターネット・エクスプローラ等がある。コンピュータ１０およびネットワーク３０のデータ資源は、ハイパーテキスト・マークアップ・ランゲージ（ＨＴＭＬ）と呼ばれるオープン・ランゲージで通信する。このコンフィギュレーションはユーザにとって非常に役に立つが、インターネットから情報にアクセスするには、ユーザは、インターネットと通信することができる、例えば、パソコンまたはラップトップのようなコンピュータをもっていなければならないというある種の制約がある。さらに、この場合、インターネットにアクセスするには、ＰＳＴＮにケーブルにより接続する必要がある。このことにより、インターネットへのユーザのアクセスが幾分制限される。
【手続補正４】
【補正対象書類名】明細書
【補正対象項目名】０００４
【補正方法】変更
【補正の内容】
【０００４】
図１Ｂは、ユーザからインターネットへの無線接続を行うための試みの一つである。この状態の場合、ユーザは、空間を通して基地局１１０と通信する無線通信装置１００を持つ。上記基地局は、セルラー・デジタル・パケット・データ（ＣＤＰＤ）ネットワーク１２０と呼ばれる無線データ・ネットワークの一部である。特別サーバ１３０は、ＨＴＴＰネットワーク１４０とＣＤＰＤネットワークとの間のインターフェースの役割を果たす。上記通信装置１００の一例としては、ＡＴ＆Ｔのポケットネットホンがある。ポケットネット・コンフィギュレーションの場合には、電話は無線ＩＰネットワーク、すなわち、ＣＤＰＤを通して情報を送信する。上記サーバ１３０は、Ｕｎｗｉｒｅｄ  Ｐｌａｎｅｔにより生成されたソフトウェア・プラットフォームを含む。
【手続補正５】
【補正対象書類名】明細書
【補正対象項目名】００１５
【補正方法】変更
【補正の内容】
【００１５】
この実施形態の場合には、ユーザは、この図においては携帯装置になっている移動局２００を持っているが、この携帯装置はＩＳ−１３６プロトコルで動作することができるセルラーホンであってもよい。上記セルラーホンは、上記プロトコルを使用して基地局２１０と無線通信をする。基地局は無線ネットワークの一部であるが、この無線ネットワークは、ＰＣＳ（パーソナル通信サービス）ネットワークであってもよいし、任意の他の無線ネットワークであってもよい。基地局は、ＩＳ−４１と呼ばれるプロトコルによりネットワークと通信する。上記ＰＣＳネットワークは現在存在していて周知のものである。この図においては、（ハイパーテキスト転送プロトコルに関連する）ＨＴＴＰネットワークと表示されている、雲２５０の形をしたＩＰネットワークは、遠隔サービス・サーバ２４０に接続している、高性能サーバ２４５へのカップリングを通して、ＰＣＳネットワーク２３０上の携帯または移動局と通信することができる。高性能サーバは、携帯装置へのデータの転送に関するＨＴＴＰネットワークからの要求を識別することができる。高性能サーバは、その後で、通信ライン２４２を通して遠隔サービス・サーバに信号を送る。
【手続補正６】
【補正対象書類名】明細書
【補正対象項目名】００１６
【補正方法】変更
【補正の内容】
【００１６】
遠隔サービス・サーバ２４０の一部であってもよい、メッセージ・センタ２４１は、高性能サーバ２４５からデータを受信することができる。メッセージ・センタは、その後、データを移動局の状態に従って、携帯装置にデータを中継するためのフォーマットに変換する。より詳細に説明すると、移動局が遠隔サービス・サーバに登録されているが、アイドル・モードである場合には、メッセージ・センタは、ＰＣＳネットワークおよび基地局２１０を通して移動局２００にデータを転送することができ、上記データはＩＳ−１３６プロトコルに従って、正しくフォーマットされる。（例えば、ＨＤＭＬ携帯装置マークアップ・ランゲージのような）オープン・ランゲージで動作するウェブ・ブラウザにより、移動局に情報を表示することができる。移動局がアイドル・モードである場合には、この情報はデジタル制御チャンネル（ＤＣＣＨ）上で転送される。別な方法としては、携帯装置がすでに音声モードである場合には、携帯装置は音声チャンネル上で動作するが、メッセージは、正しくフォーマットすることができ、それにより、デジタル・トラヒック・チャンネル上で音声通信とインターリーブされ、データを移動装置に転送することができる。ここでもまた、この段において、ブラウザ・ランゲージが、移動局での転送されたデータの表示方法を制御する。
【手続補正７】
【補正対象書類名】明細書
【補正対象項目名】００２３
【補正方法】変更
【補正の内容】
【００２３】
もっとよく理解してもらうために、データ転送に関する図２および図３の通信ネットワーク・エレメントの動作の一例を示す。この例の場合には、ＩＰネットワークのアプリケーション２７０は、メッセージを移動局２００に送信するように要求する。上記アプリケーションは、最初、二重メッセンジャ３３０に通知要求を送る。二重メッセンジャ３３０は、上記通知要求を移動識別番号（ＭＩＮ）のような移動局の識別子と一緒に、Ｒ−データ・メッセージ・ハンドラ３１０に送る。Ｒ−データ・メッセージ・ハンドラ３１０は、その後で、目標移動局がＩＳ−１３６  システム上に存在するかどうかを判断するために、遠隔サービス・サーバ２４０に対する問い合わせを作成する。遠隔サービス・サーバは、その後、識別した目標移動局に関連するホーム・ロケーション・レジスタ（ＨＬＲ）に問い合わせる。（ＨＬＲは、図示していない。）この例の場合には、移動局２００は、ＰＣＳネットワーク２３０登録してあると仮定する。それ故、ＨＬＲは、遠隔サービス・サーバ２４０に、その移動局２００がそのネットワーク上に登録してあることを知らせる。Ｒ−データ・メッセージ・ハンドラは、その後、ページング速度以上になっていないことを確認し、代理装置がＩＰネットワークを通してアプリケーションから通知データを入手するように要求する。代理装置３４０は、二重メッセンジャからアプリケーションの識別子（この場合は、ＵＲＬ）を入手し、アプリケーションからデータに対する要求を生成し、その要求をＩＰネットワークを通して送信する。アプリケーションは、データを代理装置３４０に返送し、代理装置は、そのデータをＲ−データ・メッセージ・ハンドラ３１０に送り、上記Ｒ−データ・メッセージ・ハンドラは、そのデータを遠隔サービス・サーバ、特に、そのサーバのメッセージ・センタに送る。遠隔サービス・サーバは、通知および情報を移動交換センタに送る。ＭＳＣは、その後、そのデータをＩＳ−１３６プロトコルで作動している基地局２１０および無線通信を通して移動局２００に送る。データは、無線チャンネルを通して転送された一つのＲ−データ・メッセージまたは複数のＲ−データ・メッセージにより転送される。高性能サーバおよび遠隔サービス・サーバの一般的動作を説明してきたが、以下にデータ転送動作をさらに詳細に説明する。
【手続補正８】
【補正対象書類名】明細書
【補正対象項目名】００２６
【補正方法】変更
【補正の内容】
【００２６】
より詳細に説明すると、情報は上記メッセージの短いメッセージ・サービス・ベアラ・データ」により送られる。遠隔サービス・サーバは、Ｒ−データ・メッセージ・ハンドラからの入力データを適当なＧＵＴＴフォーマットに書き入れ、それをＩＳ−４１ＳＭＤＰＰ移送メッセージに収容する。その後、遠隔サービス・サーバは、移動局のＨＬＲ内の情報により識別されたものとして移動局にサービスをする移動交換センタ（ＭＳＣ）にこの移送メッセージを転送する。上記メッセージは、標準ＩＳ−４１Ｃの短メッセージ・サービス配達手順によりＭＳＣに転送される。ＭＳＣは、その後、ＩＳ−４１ＳＭＤＰＰからＩＳ−１３６Ｒ−データ無線インターフェースへ織り込む。移送サービスの動作については、二つの状況、すなわち、一方の状況は移動局がネットワークに登録されている状況、他方の状況はメッセージの通知が行われたときに、移動が登録されていないか、使用できない状況に関連してさらに詳細に説明する。
【手続補正９】
【補正対象書類名】明細書
【補正対象項目名】００３０
【補正方法】変更
【補正の内容】
【００３０】
図４は、データ・ネットワークの各エレメントに関連するプロトコル・レベルを示す本発明の一実施形態の他のブロック図である。移動局４００は、ディスプレイ４０１、適当なマークアップ・ランゲージで動作することができるブラウザと、相互に作用することができるキーパッド４０２とを含む。上記ブラウザは、移動局がＰＣＳネットワークを通信するＩＳ−１３６プロトコルで受信するＲ−データ・メッセージに対して、インターフェースの働きをする。移動交換センタ（ＭＳＣ）４０４は、ＩＳ−１３６プロトコルにより移動局と通信し、上記プロトコルのＲ−データ・メッセージを転送することができる。ＭＳＣ４０４は、遠隔サービス・サーバ２４０からの、ＩＳ−４１プロトコルを通して受信する、短いメッセージ・データ二点間（ＳＭＤＰＰ）メッセージから、Ｒ−データ・メッセージを生成する。遠隔サービス・サーバ２４０は、データをインターネット・プロトコル（ＩＰ）からの、ウェブ・サーバ４２０のようなサーバから、移動局が使用できる形のデータを含む、ＳＭＤＰＰメッセージに変換する。上記サーバは、インターネットに接続していて、ＨＴＭＬを使用する。
【手続補正１０】
【補正対象書類名】明細書
【補正対象項目名】００３１
【補正方法】変更
【補正の内容】
【００３１】
図２に戻って説明すると、上記説明は、ＰＣＳネットワークによる移動局間のデータ転送またはデータ通信に焦点を当ててきた。しかし、高性能サーバは、移動局がＰＣＳネットワークに登録されていないで、ＣＤＰＤネットワーク上に登録されていることを認識または判断することができる。このような場合、高性能サーバは、情報を代理装置から高性能サーバの無線ＩＰハンドラ（図３参照）に転送し、データをＣＤＰＤネットワークを通して、そのネットワーク上に登録されている移動局に転送することができる。それ故、高性能サーバは、データを移動局へ転送するために、アドレス指定されたまたは目標とする移動局が、複数のネットワーク上に登録されていて、ＩＰデータを正しくフォーマットすることができることを認識することができる。
【手続補正１１】
【補正対象書類名】明細書
【補正対象項目名】００３３
【補正方法】変更
【補正の内容】
【００３３】
最初のメッセージは、移動局宛のＵＤＰデータグラム送信用に使用される移動局着信のメッセージである。ＵＤＰデータグラムのユーザ・データは二進データで、遠隔サービスが無視することができる特定のアプリケーション・コード化を持つことができる。ＵＰＤ配達メッセージのフォーマットを下記表に示す。
【手続補正１２】
【補正対象書類名】明細書
【補正対象項目名】００３８
【補正方法】変更
【補正の内容】
【００３８】
図６は、Ｒ−データおよびＳＭＤＰＰからのＵＤＰ提出メッセージのマッピングを示す。このマッピングは、データグラムが移動局により生成され、ＩＳ−１３６プロトコルに従って、Ｒ−データ装置に置かれる図５のデータの流れの逆の流れの一部を示す。このＲ−データ装置は、空中を移動局から移動交換センタへ送信されるＲ−データに含まれる。ＭＳＣは、適当なＩＳ−４１ＳＭＤＰＰメッセージ・フォーマットに変換されるＲ−データから情報を抽出する。